Podtech/llm-jp-corpus-v4-ja_patent huggingface dataset:
【手続補正書】
【提出日】平成18年2月28日(2006.2.28)
【手続補正１】
【補正対象書類名】特許請求の範囲
【補正対象項目名】全文
【補正方法】変更
【補正の内容】
【特許請求の範囲】
【請求項１】
ａ）少なくとも１つの立体障害フェノール基を有する少なくとも１種の酸化防止剤１〜９９質量部、および
ｂ）次亜リン酸（Ｈ3ＰＯ2）および亜リン酸（Ｈ3ＰＯ3またはＨＰＯ2）の塩を含有する群から選ばれる少なくとも１種の水溶性無機リン化合物９９〜１質量部
を含有する組合せ。
【請求項２】
ポリマーを安定化させるための請求項１に記載の組合せの使用。
【請求項３】
ポリマーを安定化させる方法であって、
ａ）少なくとも１つの立体障害フェノール基を有する少なくとも１種の酸化防止剤１〜９９質量部、および
ｂ）次亜リン酸（Ｈ3ＰＯ2）および亜リン酸（Ｈ3ＰＯ3またはＨＰＯ2）の塩を含有する群から選ばれる少なくとも１種の水溶性無機リン化合物９９〜１質量部
を含有する組合せ、またはこの組合せの各成分を、一緒または個別に、水溶液若しくは水性分散液若しくは水性エマルションまたはこれら水性形態の組合せの形態で、水性エマルションまたは水性懸濁液中に存在するポリマー物質に添加することを特徴とする方法。
【請求項４】
請求項３に記載の方法により得ることができる、安定化グラフトゴム物質。
【請求項５】
Ａ）０℃未満のガラス転移温度を有し、ラテックス形態で存在する少なくとも１種のゴムの存在下における、少なくとも１種のビニルモノマーのラジカル乳化重合により製造されており、
ａ）少なくとも１つの立体障害フェノール基を有する少なくとも１種の酸化防止剤、および
ｂ）水溶液または分散液の形態の次亜リン酸（Ｈ3ＰＯ2）または亜リン酸（Ｈ3ＰＯ3またはＨＰＯ2）の塩から選ばれる少なくとも１種の水溶性リン化合物
の組合せが処理前に添加された、少なくとも１種のグラフトゴム、および
Ｂ）少なくとも１種の樹脂形成ビニルモノマーの重合により得られた、少なくとも１種の熱可塑性のゴム無含有ポリマー
を含有する熱可塑性成形組成物。
【請求項６】
成分Ａ）を製造するためにスチレンおよびアクリロニトリルを、モノマーとして質量比９０：１０〜５０：５０で添加することを特徴とする請求項５に記載の成形組成物。
【請求項７】
成分Ａ）およびＢ）並びに任意にさらなる成分を混合し、高温で配合するおよび押出すことを特徴とする請求項５に記載の成形組成物の製造方法。
【請求項８】
成形品を製造するための、請求項５に記載の成形組成物の使用。
【請求項９】
請求項５に記載の成形組成物から得ることができる成形品。
【手続補正２】
【補正対象書類名】明細書
【補正対象項目名】００１０
【補正方法】変更
【補正の内容】
【００１０】
前記ポリマーを、原則、既知の方法、例えば乳化、溶液、バルク、懸濁若しくは沈殿重合により、またはそのような方法の組合せにより製造することができる。
そのようなＡＢＳポリマーの加工において望ましくない臭気が、特に高い加工温度でしばしば発生する。これらの固有の臭気は、成形品の特別な用途（例えば自動車内装）における問題を生じ得る。
【手続補正３】
【補正対象書類名】明細書
【補正対象項目名】００１１
【補正方法】変更
【補正の内容】
【００１１】
これらの問題を解決するために、とりわけ、酸化亜鉛および／または酸化マグネシウムおよびエポキシド基含有化合物の特別な組合せを配合段階で添加することが提案されている（欧州特許第849 317号（EP-B 849 317）参照）。
しかしながら成形組成物の弾性率挙動および放出挙動は、エポキシド基含有化合物の添加により悪影響を受け得る。加えて酸化亜鉛および酸化マグネシウムも、光沢挙動に悪影響を及ぼし得る。
【手続補正４】
【補正対象書類名】明細書
【補正対象項目名】００１２
【補正方法】変更
【補正の内容】
【００１２】
従って本発明のさらなる目的は、成形品に加工された後に望ましくない臭気を示さない耐衝撃性改良の熱可塑性成形組成物、特にＡＢＳポリマー成形組成物を製造することである。同時に他の特性に、悪影響を及ぼさない。
【手続補正５】
【補正対象書類名】明細書
【補正対象項目名】００２２
【補正方法】変更
【補正の内容】
【００２２】
本発明の組合せは、ポリマー、特に水性分散液、例えば水性エマルション（乳化重合）または水性懸濁液（懸濁重合）中で製造されるポリマーを、酸化分解または酸素の作用により引き起こされる他の変化に対して安定化させるための薬剤として適当である。
従って本発明は、ポリマーを安定化させるための本発明の組合せの使用も規定する。
【手続補正６】
【補正対象書類名】明細書
【補正対象項目名】００３１
【補正方法】変更
【補正の内容】
【００３１】
グラフト殻 II）を形成するために適当なビニルモノマーは、水性エマルション中においてゴムラテックスの存在下で重合することができるモノマーである。そのようなモノマーの例は、ビニル芳香族化合物、例えばスチレンまたはα-メチルスチレン、不飽和ニトリル、例えばアクリロニトリルまたはメタクリロニトリル、Ｃ1〜8アクリル酸エステルおよびＣ1〜8メタクリル酸エステル、例えばｎ-ブチルアクリレート、ｔ-ブチルアクリレートまたはメチルメタクリレート、並びにＮ-置換マレイミド、例えばＮ-フェニルマレイミドである。
【手続補正７】
【補正対象書類名】明細書
【補正対象項目名】００４３
【補正方法】変更
【補正の内容】
【００４３】
狭い粒度分布を有するモノモーダルゴムラテックスは、いわゆるシード重合技術による適当なモノマー、好ましくはブタジエンを含有するモノマー混合物、特に好ましくはブタジエン自体の乳化重合により好ましくは製造され、その方法ではまず微粒状ポリマー、好ましくはゴムポリマー、特に好ましくはブタジエンポリマーが、シードラテックスとして製造され、次いでさらにゴム形成モノマー、好ましくはブタジエン含有モノマーでの転化によりさらに重合され、大きな粒子が形成される（例えば Houben-Weyl, Methoden der Organischen Chemie, Makromolekulare Stoffe, 第1部, 第339頁 (1961年), Thieme Verlag シュトゥットガルト参照）。
これに関してシードバッチ法またはシード供給法が、好ましくは使用される。
【手続補正８】
【補正対象書類名】明細書
【補正対象項目名】００４９
【補正方法】変更
【補正の内容】
【００４９】
グラフトゴムＡ）の製造におけるグラフト重合は、モノマー混合物を部分的または連続的にゴムラテックスに添加し、次いで重合するように行うことができる。これに関して特定のモノマー-ゴム比が、好ましくは維持される。
グラフトゴムＡ）を製造するためのグラフト重合を、例えば全モノマー添加時間の最初の半分で、グラフト重合に使用される全モノマーの５５〜９０質量％、好ましくは６０〜８０質量％、特に好ましくは６５〜７５質量％を供給し、モノマーの残りの部分を、全モノマー添加時間の次の半分で供給するようなモノマー添加により行うことができる。ゴムラテックスへのモノマーの均一連続供給が好ましい。
【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
平均分子量が50,000〜170,000の範囲にある、少なくとも1種のビニル芳香族モノマーのポリマーを含む発泡性ポリマー組成物であって、
a) 1種以上のビニル芳香族モノマーと0.1〜15質量％のα-アルキルスチレンを重合することにより得られた0〜50質量％のコポリマーと;
b) 結晶化度が10％より小さく且つガラス転移温度(Tg)が100℃より高い0〜10質量％の相溶性ポリマーであって、残りの％がビニル芳香族ポリマーからなる、前記ポリマーと;
c) 全体について計算された2〜10質量％の発泡剤と
を含むが、(a)又は(b)の少なくとも一方がポリマー混合物において存在する、前記組成物。
【請求項２】
ビニル芳香族モノマーが下記一般式:
【化１】
2005520882.tif 000001
（式中、nは0又は1〜5の範囲にある整数であり、Yはハロゲン、例えば、塩素又は臭素、又は炭素原子1〜4個を有するアルキル基又はアルコキシル基である。）
に対応するモノマーより選ばれる、請求項1記載の組成物。
【請求項３】
一般式(I)を有するビニル芳香族モノマーがスチレンである、請求項1又は2記載の組成物。
【請求項４】
一般式(I)を有するビニル芳香族モノマーが、(メタ)アクリル酸、(メタ)アクリル酸のC1〜C4アルキルエステル、(メタ)アクリル酸のアミドやニトリル、ブタジエン、エチレン、ジビニルベンゼン、マレイン酸無水物より選ばれた他の共重合可能なモノマーとの50質量％までの混合物において用いられる、請求項1、2又は3記載の組成物。
【請求項５】
共重合可能なモノマーがアクリロニトリルやメチルメタクリレートである、請求項4記載の組成物。
【請求項６】
ビニル芳香族モノマーの分子量Mwが70,000〜150,000の範囲にある、請求項1〜5のいずれか1項に記載の組成物。
【請求項７】
コポリマー(a)におけるα-アルキルスチレンモノマーが2〜10％の範囲にある量で存在する、請求項1〜6のいずれか1項に記載の組成物。
【請求項８】
α-アルキルスチレンがα-メチルスチレンである、請求項1〜7のいずれか1項に記載の組成物。
【請求項９】
結晶化度が10％より小さく且つTgが100℃より高い相溶性ポリマーが2〜8質量％の範囲にある量で用いられる、請求項1〜8のいずれか1項に記載の組成物。
【請求項１０】
相溶性ポリマーがポリフェニルエーテル及びポリカーボネートより選ばれる、請求項1〜9のいずれか1項に記載の組成物。
【請求項１１】
密度が5〜50 g/lの範囲にある請求項1〜10のいずれか1項に記載の発泡性ポリマー組成物により得られた発泡製品。
【請求項１２】
ビニル芳香族ポリマーに基づく発泡性組成物の調製方法であって、1種以上のビニル芳香族モノマーと、1種以上のビニル芳香族モノマーと0.1〜15質量％のα-アルキルスチレンを重合することにより得られた0〜50質量％のコポリマー(a)と、結晶化度が10％より小さく且つガラス転移温度(Tg)が100℃より高い0〜10質量％の相溶性ポリマー(b)とを含む組成物を水性懸濁液中で重合する工程を含み、(a)と(b)が重合中又は重合後に添加される発泡剤(c)の存在下にモノマー混合物に前溶解されるが、(a)又は(b)の少なくとも一方が試薬混合物において存在する、前記方法。
【請求項１３】
発泡性ビニル芳香族ポリマーを連続塊状で調製する方法であって、
i. 押出機にビニル芳香族ポリマーを、1種以上のビニル芳香族モノマーと0.1〜15質量％のα-アルキルスチレンとを重合することにより得られた0〜50質量％のコポリマー(a)と、結晶化度が10％より小さく且つガラス転移温度(Tg)が100℃より高い0〜10質量％の相溶性ポリマー(b)と共に供給するが、(a)又は(b)の少なくとも一方が混合物において存在する工程と;
ii. それらのポリマーを相対融点より高い温度に加熱する工程と;
iii. ダイまで押出される前に溶融した生成物へ発泡剤を注入する工程と;
iv. 発泡性であってもよいビーズを、平均径が0.2〜2 mmの範囲にあるほぼ球状の形にダイを通して形成する工程と
を順次含む、前記方法。
【請求項１４】
重合の終わりに、平均径が0.2〜2 mmの範囲にあるほぼ球状のビーズを得る、請求項12又は13記載の方法。
【請求項１５】
発泡性ビーズが、本質的に
1. ビーズを液状帯電防止剤、例えば、アミン、第三級エトキシル化アルキルアミン、エチレンオキシド-プロピレンオキシドコポリマーで被覆する工程と;
2. 前記ビーズにコーティングを施す工程であって、前記コーティングが、本質的に、グリセリンと脂肪酸とのモノ-、ジ-及びトリ-エステルと、金属ステアリン酸塩、例えば、ステアリン酸亜鉛の混合物からなる、前記工程と
からなる前処理に供される、請求項12〜14のいずれか1項に記載の方法。
【請求項１６】
密度が5〜50 g/lの範囲にある発泡製品を調製するための請求項1〜15のいずれか1項に記載の発泡性ビニル芳香族ポリマーの使用。
【請求項１７】
発泡性が改善されたビニル芳香族ポリマーであって、
d) 1種以上のビニル芳香族モノマーと0.1〜14.5質量％のα-アルキルスチレンを重合することにより得られたマトリックスと;
e) ポリマー(a)について計算された2〜10質量％の、ポリマーマトリックスに貪食される発泡剤と;
f) ポリマー(a)について計算された0〜10質量％、好ましくは2〜8％の、結晶化度が10％より小さく且つガラス転移温度(Tg)が100℃より高い相溶性ポリマーと
を含む、前記ビニル芳香族ポリマー。
【請求項１８】
0.05〜20質量％の非熱伝導性材料又は屈折材料を含む請求項1〜17のいずれか1項に記載の方法に従って得ることができるビニル芳香族ポリマーの発泡性ヘッド。
【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
体内の管腔内に移植するための医療用インプラントであって、
前記インプラントは、該インプラント内を貫通する流路を有し、かつ該インプラントはタングステン−レニウム合金からなる医療用インプラント。
【請求項２】
ステントの形態である請求項１に記載の医療用インプラント。
【請求項３】
前記タングステン−レニウム合金は本質的にタングステン及びレニウムから構成される請求項２に記載の医療用インプラント。
【請求項４】
前記タングステンは約７５重量％乃至約９９重量％の範囲の量にて存在する請求項３に記載の医療用インプラント。
【請求項５】
前記レニウムは約２５重量％乃至約１重量％の範囲の量にて存在する請求項４に記載の医療用インプラント。
【請求項６】
弾性率が少なくとも４００ＧＰａである請求項１に記載の医療用インプラント。
【請求項７】
側壁部と複数の開口部とをその内部に有する請求項２に記載の医療用インプラントであって、前記インプラントはシート状材料又は管から形成された医療用インプラント。
【請求項８】
体内の管腔内に移植するための医療用インプラントであって、
前記インプラントは、該インプラント内を貫通する流路を有し、かつ該インプラントはモリブデンＴＺＭ合金からなる医療用インプラント。
【請求項９】
ステントの形態である請求項８に記載の医療用インプラント。
【請求項１０】
弾性率が少なくとも３００ＧＰａである請求項８に記載の医療用インプラント。
【請求項１１】
側壁部と複数の開口部とをその内部に有する請求項８に記載の医療用インプラントであって、前記インプラントはシート状材料又は管から形成された医療用インプラント。
【請求項１２】
金属シート又は金属製の管から製造されたステントであって、前記金属は３００ＧＰａ又はそれ以上の弾性率を有するステント。
【請求項１３】
弾性率は４００ＧＰａ又はそれ以上である請求項１２に記載のステント。
【請求項１４】
前記ステントはタングステン−レニウム合金からなる請求項１３に記載のステント。
【請求項１５】
前記金属は本質的にモリブデンからなる請求項１２に記載のステント。
【請求項１６】
前記金属は本質的にモリブデンＴＺＭ合金からなる請求項１２に記載のステント。
【請求項１７】
モリブデンＴＺＭ合金からなる請求項１２に記載のステント。
【請求項１８】
モリブデンからなる請求項１２に記載のステント。
【請求項１９】
タングステン−レニウム合金からなる請求項１３に記載のステント。
【請求項２０】
本質的にタングステン−レニウム合金からなる請求項１３に記載のステント。
【請求項２１】
前記タングステンは約７５重量％乃至約９９重量％の範囲の量にて存在する請求項２０に記載のステント。
【請求項２２】
ＴＺＭ合金からなる医療用インプラント。
【請求項２３】
ステントの形態である請求項２２に記載の医療用インプラント。
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
非ヒト動物の耳介と頭蓋との接合部にて抗生物質を皮下注射する工程を含むことを特徴とする、それを必要とする該動物において細菌感染を治療または予防するのに有効な量の抗生物質を投与する方法。
【請求項２】
該動物がウシ、ブタ、ヒツジおよびヤギよりなる群から選択される請求項１記載の方法。
【請求項３】
該注射が該接合部の背後部側半分内である請求項２記載の方法。
【請求項４】
該動物がウシから選択され、抗生物質を頸部耳介筋の後側であって耳下唾液腺の背後側に注射することを含む請求項２記載の方法。
【請求項５】
抗生物質が処方されたものである請求項１記載の方法。
【請求項６】
該処方が滅菌油懸濁液である請求項５記載の方法。
【請求項７】
該処方の注射容量が約１ｍｌないし約１５ｍｌである請求項６記載の方法。
【請求項８】
該抗生物質が単一のシリンジ針で注射される請求項１記載の方法。
【請求項９】
該抗生物質がプロカインペニシリン、ベンザチンペニシリン、セフチオフル結晶遊離酸、セフチオフル塩酸塩、アンピシリン三水和物、アモキシシリン三水和物、オキシテトラサイクリン、エリスロマイシン、タイロシン(tylosin)、ティルミコシン(tilmicosin)、フロルフェニコール(florfenicol)、エンロフロキサミン(enrofloxacin)、ダノフロキサシン(danofloxacin)、およびプレマフロキサシン(premafloxacin)よりなる群から選択される請求項１記載の方法。
【請求項１０】
該抗生物質が７−［２−（２−アミノ−１，３−チアゾール−４−イル）−２−メトキシイミノ）アセトアミド］−３−［（フル−２−イルカルボニル）チオメチル］−３−セフェム−４−カルボン酸である式Ｉ：
【化１】
2005520624.tif 000001
の結晶セフチオフル遊離酸である請求項９記載の方法。
【請求項１１】
該セフチオフル結晶遊離酸が滅菌油懸濁液におけるものである請求項１０記載の方法。
【請求項１２】
細菌感染がウシ呼吸器系病またはブタ呼吸器系病である請求項１１記載の方法。
【請求項１３】
セフチオフル結晶遊離酸の量が約１．１ないし約８．８ｍｇ／ｋｇ体重である請求項１２記載の方法。
【請求項１４】
セフチオフル結晶遊離酸の量が約４．４ないし約６．６ｍｇ／ｋｇ体重である請求項１３記載の方法。
【請求項１５】
非ヒト動物の耳介と頭蓋との接合部に液体形態の抗生物質を皮下注射する工程を含むことを特徴とする、それを必要とする該動物において細菌感染を治療または予防するのに有効な量の抗生物質を投与する方法。
【請求項１６】
該抗生物質が注射溶液または注射懸濁液の形態である請求項１５記載の方法。
【請求項１７】
拘束メカニズムを使用することなく非ヒト動物の頭部を安定化させ；次いで、
該動物の耳介と頭蓋との接合部にて抗生物質を皮下注射する；
工程を含むことを特徴とする、それを必要とする該動物において細菌感染を治療または予防するのに有効な量の抗生物質を投与する方法。
【請求項１８】
該安定化工程が、該動物を倒し、次いで、手で該動物の注射部位の耳を握ることを含む請求項１７記載の方法。
【請求項１９】
該抗生物質が注射溶液または注射懸濁液の形態である請求項１７記載の方法。
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
手術の介入のためのドレープ製品（１〜４）であって、その下面がその縁の少なくとも一つ（それぞれ５，６，７及び８）に沿って接着剤で被覆されており、前記被覆（１２）が縁に完全に又は部分的に沿って延びるものにおいて、接着剤の皮膚に対する接着力が０．５Ｎ／２５ｍｍより大きく、好ましくは１．０Ｎ／２５ｍｍより大きく、より好ましくは１．２Ｎ／２５ｍｍより大きいこと、及び接着剤の鋼鉄に対する接着力がＡＳＴＭ  Ｄ  ３３３０  Ｍ−９９に従って測定すると４．０Ｎ／２５ｍｍ未満、好ましくは３．５Ｎ／２５ｍｍ未満、より好ましくは３．０Ｎ／２５ｍｍ未満、最も好ましくは２．５Ｎ／２５ｍｍ未満であることを特徴とするドレープ製品。
【請求項２】
手術の介入のためのドレープ製品（１〜４）であって、その下面がその縁の少なくとも一つ（それぞれ５，６，７及び８）に沿って接着剤で被覆されており、前記被覆（１２）が縁に完全に又は部分的に沿って延びるものにおいて、接着剤の皮膚に対する接着力が０．５Ｎ／２５ｍｍより大きく、好ましくは１．０Ｎ／２５ｍｍより大きく、より好ましくは１．２Ｎ／２５ｍｍより大きいこと、及び接着剤の接着剤自身に対する接着力がＡＳＴＭ  Ｄ  ３３３０  Ｍ−９９に従って測定すると１０Ｎ／２５ｍｍ未満、好ましくは８Ｎ／２５ｍｍ未満、より好ましくは６Ｎ／２５ｍｍ未満、最も好ましくは５Ｎ／２５ｍｍ未満であることを特徴とするドレープ製品。
【請求項３】
接着剤によって被覆される皮膚の部分の角質層に対する損傷が、皮膚に取付けられていたドレープ製品の除去後、ＳＣＴ（分光色試験）で測定すると３０％未満、好ましくは２０％未満、より好ましくは１０％未満であることを特徴とする請求項１又は２記載のドレープ製品。
【請求項４】
接着剤被覆（１２）が１５０ｍｍ未満のドレープ製品（１〜４）の縁に対して垂直の幅を有することを特徴とする請求項１〜３のいずれか一項記載のドレープ製品。
【請求項５】
接着剤がシリコーンエラストマー、ヒドロゲル又は柔らかい粘着性ホットメルト接着剤からなることを特徴とする請求項１〜４のいずれか一項記載のドレープ製品。
【請求項６】
接着剤が担持材料のストリップの下面に付着され、担持材料の上面はドレープ製品の下面に付着されることを特徴とする請求項１〜５のいずれか一項記載のドレープ製品。
【請求項７】
接着剤の皮膚に対する接着力が皮膚に対するドレープ製品の２回目の適用時に４０％未満、好ましくは３０％未満、より好ましくは２０％未満減少されていることを特徴とする請求項１〜６のいずれか一項記載のドレープ製品。
【請求項８】
ドレープ製品（１４〜１７）の縁の少なくとも一部を患者の皮膚に付着させるためのストリップ（１３）において、ストリップ（１３）がその下面を接着剤で被覆されており、その接着剤が０．５Ｎ／２５ｍｍより大きい、好ましくは１．０Ｎ／２５ｍｍより大きい、より好ましくは１．２Ｎ／２５ｍｍより大きい皮膚に対する接着力を有すること、及び接着剤の鋼鉄に対する接着力がＡＳＴＭ  Ｄ  ３３３０  Ｍ−９９に従って測定すると４．０Ｎ／２５ｍｍ未満、好ましくは３．５Ｎ／２５ｍｍ未満、より好ましくは３．０Ｎ／２５ｍｍ未満、最も好ましくは２．５Ｎ／２５ｍｍ未満であることを特徴とするストリップ。
【請求項９】
ドレープ製品（１４〜１７）の縁の少なくとも一部を患者の皮膚に付着させるためのストリップ（１３）において、ストリップ（１３）がその下面を接着剤で被覆されており、その接着剤が０．５Ｎ／２５ｍｍより大きい、好ましくは１．０Ｎ／２５ｍｍより大きい、より好ましくは１．２Ｎ／２５ｍｍより大きい皮膚に対する接着力を有すること、及び接着剤の接着剤自身に対する接着力がＡＳＴＭ  Ｄ  ３３０  Ｍ−９９に従って測定すると１０Ｎ／２５ｍｍ未満、好ましくは８Ｎ／２５ｍｍ未満、より好ましくは６Ｎ／２５ｍｍ未満、最も好ましくは５Ｎ／２５ｍｍ未満であることを特徴とするストリップ。
【請求項１０】
ストリップをドレープ製品（１４〜１７）に付着するための付着手段（２０）をストリップの上面に与えられていることを特徴とする請求項８又は９記載のストリップ。
【請求項１１】
接着剤によって被覆される皮膚の部分の角質層に対する損傷が、皮膚に取付けられていたドレープ製品の除去後、ＳＣＴ（分光色試験）で測定すると３０％未満、好ましくは２０％未満、より好ましくは１０％未満であることを特徴とする請求項８〜１０のいずれか一項記載のストリップ。
【請求項１２】
ストリップ（１３）が２５〜２００ｍｍの幅を有することを特徴とする請求項８〜１１のいずれか一項記載のストリップ。
【手続補正書】
【提出日】平成18年3月15日(2006.3.15)
【手続補正１】
【補正対象書類名】特許請求の範囲
【補正対象項目名】請求項２７
【補正方法】変更
【補正の内容】
【請求項２７】
2つのルーメン・チューブが、ポリマーの押出チューブである、請求項26記載のマルチルーメン・カテーテル。
【手続補正２】
【補正対象書類名】特許請求の範囲
【補正対象項目名】請求項３４
【補正方法】変更
【補正の内容】
【請求項３４】
2つのルーメン・チューブが、ポリマーの押出チューブである、請求項29記載のマルチルーメン・カテーテル。
【手続補正３】
【補正対象書類名】特許請求の範囲
【補正対象項目名】請求項４２
【補正方法】変更
【補正の内容】
【請求項４２】
3ルーメン・チューブが、ポリマーの押出チューブである、請求項36記載のマルチルーメン・カテーテル。
【手続補正書】
【提出日】平成18年3月3日(2006.3.3)
【手続補正１】
【補正対象書類名】特許請求の範囲
【補正対象項目名】全文
【補正方法】変更
【補正の内容】
【特許請求の範囲】
【請求項１】
吸入装置であって、以下：
マウスピースであって、少なくとも１つの開口端を有する中央孔およびユーザの口腔に粒子を運ぶための管を備えるマウスピース；
回転可能な係合での該孔内における受取りのための少なくとも１つの部分および吸入可能な物質を貯蔵するためのチャンバを備えるカートリッジを備え；
該マウスピースと該カートリッジとが互いに対して回転可能に係合しており、該チャンバが周囲の環境および該マウスピース管に閉じている第１の位置から、周囲の環境から該チャンバを介して該マウスピース管への流路が開いた第２の位置まで、回転可能であり；
該マウスピースと該カートリッジとが、一旦該第２の位置に到達すると該第２の位置を保持するように協働的に構成される構造を備える、吸入装置。
【請求項２】
カバーをさらに備える、請求項１に記載の装置であって、該カバーが、前記マウスピースを覆うように適合される、装置。
【請求項３】
請求項２に記載の装置であって、
前記カバーと前記カートリッジとが、一旦該カバーが該カートリッジ上に配置されると、該カバーが該カートリッジと係合して保持するように協働的に構成された構造を備える、装置。
【請求項４】
吸入装置を準備する方法であって、以下：
吸入装置を提供する工程であって、該吸入装置は、以下：
マウスピースであって、少なくとも１つの開口端を有する中央孔およびユーザの口腔に粒子を運ぶための管を備えるマウスピース；
該孔内における受取りのための少なくとも１つの部分および吸入可能な物質を貯蔵するためのチャンバを備えるカートリッジであって、該マウスピースと該カートリッジとが互いに対して回転可能に係合しており；
該マウスピースと該カートリッジとが、該チャンバが周囲の環境および該マウスピース管に閉じている第１の位置から、周囲の環境から該チャンバを介して該マウスピース管への流路が開いた第２の位置まで回転可能であり；
該マウスピースと該カートリッジとが、一旦該第２の位置に到達すると該第２の位置を保持するように協働的に構成される構造を備える、
工程；
該チャンバに吸入可能な物質を提供する工程；ならびに
該第１の位置から該第２の位置に該マウスピースに対して該カートリッジを回転させて、該流路を開く工程、
を包含する、方法。
【請求項５】
請求項４に記載の方法であって、
前記カートリッジを前記マウスピースに対して前記第２の位置に固定する工程をさらに包含する、方法。
【請求項６】
前記装置が単回投薬量装置である、請求項１〜３のいずれか一項に記載の装置。
【請求項７】
前記チャンバが、視準管、少なくとも１つの突起部、および２つ以上のリッジを備える、請求項１に記載の装置。
【請求項８】
前記装置が、第２の位置にある場合、前記視準管、少なくとも１つの突起部および２つ以上のリッジが、渦を形成するように設計されている、請求項７に記載の装置。
【請求項９】
請求項２または３に記載の装置であって、前記カバーが、その後の該カバーの取り外し、該マウスピースへの再取り付けが不可能であるように、前記マウスピースに取り外し可能に取り付けられ、該装置が、単回投薬量装置である、装置。
【請求項１０】
請求項２、３または９に記載の装置であって、前記吸入装置が、吸入部、前記カバーを備え、該吸入部は、該カバーに固定して一緒に接続され得、それによって該装置が、単一の使用に適したものになる、装置。
【請求項１１】
請求項１〜３および６〜１０のいずれか一項に規定される吸入装置において使用するためのカートリッジ。
【手続補正２】
【補正対象書類名】明細書
【補正対象項目名】００１５
【補正方法】変更
【補正の内容】
【００１５】
カバー２４は、吸気口６２およびポート６０上に延びて、吸気口６２を越えてシャンク５２と係合し、その結果、ポート６０および吸気口６２がカバーの下になり、使用される（即ち、吸入部２２のカバー２４からの分離）まで周囲の環境に露出されない。カバーの下にあるので、ポート６０に入り、ポート６０を塞ぐ可能性のある埃粒子や他の粒子の機会を最小限に抑える。ポート６０は、例えば、その断面が長方形であり、円形のような他の断面の形状でも適切である。ポート６０は、カートリッジ３２における開口１２２（図６Ｂ）の形状および寸法に対応する内側開口６４で終わる。
【手続補正３】
【補正対象書類名】明細書
【補正対象項目名】００２３
【補正方法】変更
【補正の内容】
【００２３】
空気を取入れる吸気導管１１２は、頭部１０２にあるチャンバ１１０に延びている。この吸気導管１１２は、ポート６０に対応するように形成され、吸入部２２が開いた位置にある場合、並列する供給チャネル１１４と、供給チャネル１１４から（開口１１７ａを介して）チャンバ１１０に（開口１１７ｂを介して）延びる視準管とから形成されている。
【手続補正書】
【提出日】平成18年3月20日(2006.3.20)
【手続補正１】
【補正対象書類名】明細書
【補正対象項目名】発明の名称
【補正方法】変更
【補正の内容】
【発明の名称】コンピュータ制御研削盤
【手続補正２】
【補正対象書類名】明細書
【補正対象項目名】０００１
【補正方法】変更
【補正の内容】
【０００１】
関連出願への相互参照。本出願は２００２年３月１８日付け米国仮出願第６０／３６５，３９５号に対して優先権を主張する。本発明はコンピュータ制御機械に関するものであり、具体的には、自動的プログラミングコンピュータ制御心なし研削盤に関するものである。
【手続補正書】
【提出日】平成18年3月7日(2006.3.7)
【手続補正１】
【補正対象書類名】特許請求の範囲
【補正対象項目名】請求項１
【補正方法】変更
【補正の内容】
【請求項１】
本体（１）及び切削インサート（２）のような二つの部品を備え、互いに係合するよう配置された第１及び第２の接続表面（１２、１３）を有する切屑除去加工用工具であって、断面がテーパ形状を有し且つ前記第１の接続表面（１２）に形成された畝（１５、１５’、２０、２０’）と、断面がテーパ状であり且つ前記畝を受容する前記第２の接続表面（１３）の溝（１７）とが、曲線の形状であることを特徴とする切屑除去加工用工具。
【手続補正２】
【補正対象書類名】特許請求の範囲
【補正対象項目名】請求項１４
【補正方法】変更
【補正の内容】
【請求項１４】
工具部品の相似形の接続表面と相互作用する接続表面（１２）を備える切屑除去加工用切削インサートであって、前記切削インサートの前記接続表面は、断面がテーパ状の畝（１５、１５’、２０、２０’）を備え、該畝は曲線の形態になっていることを特徴とする切屑除去加工用切削インサート。
【手続補正書】
【提出日】平成18年1月16日(2006.1.16)
【手続補正１】
【補正対象書類名】特許請求の範囲
【補正対象項目名】全文
【補正方法】変更
【補正の内容】
【特許請求の範囲】
【請求項１】
主面を有するバッキングと、
前記主面の少なくとも一部に固定された研磨層とを含み、前記研磨層が、バインダーと研磨粒子とを含む、被覆研磨物品であって、
前記バインダーが、多官能性アクリレートと；平均エポキシ官能価が少なくとも２．５の芳香族ポリエポキシドと；多官能性アクリレートと、脂環式ポリエポキシドと、平均エポキシ官能価が少なくとも２．５の芳香族ポリエポキシドとの組合された総重量を基準にして、約１から約２７重量パーセントの脂環式ポリエポキシドとを；含む成分の反応生成物を含む被覆研磨物品。
【請求項２】
主面を有するバッキングを提供する工程と、
第１のバインダー前駆体を含むメイク層を、前記バッキングの主面の少なくとも一部に適用する工程と、
複数の研磨粒子を前記メイク層に少なくとも部分的に埋込む工程と、
前記第１のバインダー前駆体を硬化させる工程と、
第２のバインダー前駆体を含むサイズ層を、前記メイク層および複数の研磨粒子の少なくとも一部に適用する工程と、
前記第２のバインダー前駆体を硬化させて、被覆研磨物品を提供する工程とを含む、被覆研磨物品を製造する方法であって、
前記第１または第２のバインダー前駆体の少なくとも１つが、多官能性アクリレートと；平均エポキシ官能価が少なくとも２．５の芳香族ポリエポキシドと；多官能性アクリレートと、脂環式ポリエポキシドと、平均エポキシ官能価が少なくとも２．５の芳香族ポリエポキシドとの組合された総重量を基準にして、約１から約２７重量パーセントの脂環式ポリエポキシドとを；含み、前記第１または第２のバインダー前駆体の少なくとも１つが、化学線に曝すことによって硬化される、方法。
【請求項３】
主面を有するバッキングを提供する工程と、
バインダー前駆体と研磨粒子とを含むスラリーを、前記バッキングの主面の少なくとも一部に適用する工程であって、前記バインダー前駆体が、少なくとも１つの多官能性アクリレート；平均エポキシ官能価が少なくとも２．５の芳香族ポリエポキシドと；多官能性アクリレートと、脂環式ポリエポキシドと、平均エポキシ官能価が少なくとも２．５の芳香族ポリエポキシドとの組合された総重量を基準にして、約１から約２７重量パーセントの脂環式ポリエポキシドとを；含む工程と、
前記バインダー前駆体を、化学線に曝すことによって硬化させて、被覆研磨物品を提供する工程とを含む、被覆研磨物品を製造する方法。
【手続補正書】
【提出日】平成18年2月24日(2006.2.24)
【手続補正１】
【補正対象書類名】特許請求の範囲
【補正対象項目名】全文
【補正方法】変更
【補正の内容】
【特許請求の範囲】
【請求項１】
第１端部及び第２端部を持つ内部導体及び外部導体を持つ第１伝送ラインと、第１端部及び第２端部を持つ内部導体及び外部導体を持つ第２伝送ラインとを有するコンバイナ／スプリッタ装置であり、２つの前記伝送ラインの２つの前記第１端部が、互いに電気的に接続され、２つの前記伝送ラインの２つの前記第２端部が、互いに電気的に接続されるコンバイナ／スプリッタ装置であって、２つの前記伝送ラインの少なくとも一部が、平行に巻かれ、螺旋コイルを形成することを特徴とするコンバイナ／スプリッタ装置。
【請求項２】
前記コンバイナ／スプリッタ装置が、更に、２つの前記伝送ラインの前記外部導体の前記第１端部に接続された一方の電極と、２つの前記伝送ラインの前記外部導体の前記第２端部に接続された他方の電極を持つキャパシタを有することを特徴とする、請求項１に記載のコンバイナ／スプリッタ装置。
【請求項３】
前記螺旋コイルは、力線を実質的に閉じ込めるために、前記螺旋コイルの２つの反対側の端部が互いに向き合うように曲げられることを特徴とする、請求項１に記載のコンバイナ／スプリッタ装置。
【請求項４】
前記螺旋コイルの曲げ半径が、全長にわたり一定であり、これにより前記螺旋コイルが、トロイダル形状をとることを特徴とする、請求項３に記載のコンバイナ／スプリッタ装置。
【請求項５】
前記コンバイナ／スプリッタ装置が、更に、２つの前記伝送ラインの前記外部導体の前記第１端部に接続された一方の電極と、２つの前記伝送ラインの前記外部導体の前記第２端部に接続された他方の電極を持つキャパシタを有し、前記キャパシタが、前記トロイダル形状の内部空間の中に位置することを特徴とする、請求項４に記載のコンバイナ／スプリッタ装置。
【請求項６】
２つの前記伝送ラインが、完全に平行であることを特徴とする、請求項１に記載のコンバイナ／スプリッタ装置。
【請求項７】
２つの前記伝送ラインが、互いにより合わせられることを特徴とする、請求項１に記載のコンバイナ／スプリッタ装置。
【請求項８】
２巻が１つの完全なねじれに対応するように、より合わせる速度が、巻く速度に対応することを特徴とする、請求項７に記載のコンバイナ／スプリッタ装置。
【請求項９】
前記コンバイナ／スプリッタ装置が、更に、前記内部導体の第１端部間に結合される第１キャパシタと、前記内部導体の第２端部間に結合される第２キャパシタとを有することを特徴とする、請求項１に記載のコンバイナ／スプリッタ装置。
【請求項１０】
前記コンバイナ／スプリッタ装置が、更に、前記第２伝送ラインの第２端部に接続された内部導体の第１端部を持ち、且つ２つの前記伝送ラインの前記第２端部に接続された外部導体の第１端部を持つ第３同軸伝送ラインを有し、前記螺旋コイルが、前記第３同軸伝送ラインの少なくとも一部により形成された巻線を有することを特徴とする、請求項１に記載のコンバイナ／スプリッタ装置。
【請求項１１】
検査体積と、前記検査体積において主磁場を生成する主磁場システムと、前記主磁場の勾配を生成する勾配磁場システムと、送信及び／又は受信コイルシステムと、前記コイルシステムの少なくとも２つの出力信号を結合する及び／又は前記コイルシステムの入力信号を分離するコンバイナ／スプリッタ装置とを有する磁気共鳴イメージング（ＭＲＩ）システムであって、前記コンバイナ／スプリッタ装置が、請求項１、２、３、４、５、６、７、８、９又は１０に記載のコンバイナ／スプリッタ装置であることを特徴とする磁気共鳴イメージングシステム。
【手続補正書】
【提出日】平成18年3月17日(2006.3.17)
【手続補正１】
【補正対象書類名】特許請求の範囲
【補正対象項目名】全文
【補正方法】変更
【補正の内容】
【特許請求の範囲】
【請求項１】
組織の上に配置される第１の表面を有するデバイスと、
パッチに固着され、第１の表面を介して約９０分またはそれ以下の期間にわたり約９．５Ｊ／ｃｍ2またはそれ以下の光エネルギーを送るように構成された発光部材とより成る装置。
【請求項２】
デバイスは第１の表面上の接着剤を含む請求項１の装置。
【請求項３】
デバイスは組織の形状に実質的に一致する柔軟な構造を有する請求項１の装置。
【請求項４】
発光部材は化学発光光源を有する請求項１の装置。
【請求項５】
デバイスは第１の表面の方へ光を反射する反射表面を有する請求項１の装置。
【請求項６】
歯に嵌合する形状の空洞を有する歯科トレイと、
歯科トレイを歯の上に適用するとその歯の上に光を放出するよう配置された空洞内の発光材料とより成る装置。
【請求項７】
発光材料に近接する反射表面をさらに備えた請求項６の装置。
【請求項８】
発光材料が歯科トレイの予め選択された部分の上に位置する請求項６の装置。
【請求項９】
発光材料は化学発光光源を有する請求項６の装置。
【請求項１０】
発光材料は青色光を放出する請求項６の装置。
【請求項１１】
発光材料は赤色光を放出する請求項６の装置。
【請求項１２】
発光材料は白色光を放出する請求項６の装置。
【請求項１３】
歯科トレイは過酸化水素材料を保持するように構成されている請求項６の装置。
【請求項１４】
歯の上に適用され過酸化水素材料を保持する歯科トレイと、
歯科トレイ内に位置し過酸化水素材料に照明するよう配置された光源とより成る装置。
【請求項１５】
光源は約２０分の活性寿命を有する一時的光源である請求項１４の装置。
【請求項１６】
発光材料は青色光を放出する請求項１４の装置。
【請求項１７】
発光材料は赤色光を放出する請求項１４の装置。
【請求項１８】
発光材料は白色光を放出する請求項１４の装置。
【請求項１９】
光源は歯科トレイに一時的に固着されるように構成された化学発光パッチを有する請求項１４の装置。
【請求項２０】
過酸化水素を１またはそれ以上の歯に適用し、
歯科トレイを歯の上に配置し、
歯に歯科トレイ内の光源からの光を照射するステップより成る方法。
【請求項２１】
過酸化水素は過酸化水素ゲルである請求項２０の方法。
【請求項２２】
歯は約２０分乃至約６０分の間照射される請求項２０の方法。
【請求項２３】
光源は青色光である請求項２０の方法。
【請求項２４】
過酸化水素を光源による発熱反応で加熱するステップをさらに含む請求項２０の方法。
【請求項２５】
少なくとも一部が透明で、組織の上に配置するように構成された第１の表面を有するデバイスと、
デバイス内にあって、少なくとも一部が透明な表面を介して光を放出する化学発光光源と、
デバイス内にあって、化学発光光源からの光の流れを妨げる１またはそれ以上のバッフルとより成る装置。
【請求項２６】
デバイスは弁を有する請求項２５の装置。
【請求項２７】
光源は青色光を放出する請求項２５の装置。
【請求項２８】
光源は赤色光を放出する請求項２５の装置。
【請求項２９】
光源は黄色光を放出する請求項２５の装置。
【請求項３０】
少なくとも一部が透明な第１の表面、第２の表面、及び第１と第２の表面の間の少なくとも１つのチェンバを有するフェイスマスクと、
チェンバ内に位置する化学発光光源とより成る装置。
【請求項３１】
フェイスマスクは、化学発光光源からの光の流れを妨げるための複数のバッフルを有する請求項３０の装置。
【請求項３２】
フェイスマスクは弁を有する請求項３０の装置。
【請求項３３】
第２の表面は反射表面を含む請求項３０の装置。
【請求項３４】
光による老化防止治療を行う方法であって、
発光容器を光による老化の兆候がある皮膚の領域に直接適用し、
所望量の光が送られるまで発光容器からその領域へ光を送るステップより成る光による老化防止治療法。
【請求項３５】
発光容器は化学発光光源を含むパッチである請求項３４の方法。
【請求項３６】
発光容器は化学発光光源を含むフェイスマスクである請求項３４の方法。
【請求項３７】
発光容器は青色光を放出する請求項３４の方法。
【請求項３８】
発光容器は赤色光を放出する請求項３４の方法。
【請求項３９】
発光容器は黄色光を放出する請求項３４の方法。
【請求項４０】
発光容器は約２０分乃至約９０分の間適用される請求項３４の方法。
【請求項４１】
脱毛方法であって、
発光容器を脱毛のターゲット領域に直接適用し、
所望量の光が送られるまで発光容器からその領域へ光を送るステップより成る脱毛方法。
【請求項４２】
発光容器は可視スペクトルの光を放出する請求項４１の方法。
【請求項４３】
発光容器は赤外光を放出する請求項４１の方法。
【請求項４４】
発光容器は化学発光光源を含むパッチである請求項４１の方法。
【請求項４５】
発光容器はさらに、その内部の発熱反応の結果としてその領域へ光を放出する請求項４１の方法。
【手続補正書】
【提出日】平成18年2月15日(2006.2.15)
【手続補正１】
【補正対象書類名】明細書
【補正対象項目名】００１１
【補正方法】変更
【補正の内容】
【００１１】
図１には患者（図示せず）上の手術領域Ｏの周りに適用された四つのドレープ製品１〜４を含むドレープシステムが模式的に示されている。ドレープ製品１及び３は手術領域の二つの対向する平行な縁５，６を規定し、ドレープ製品２及び４は縁５，６に対して垂直の二つの対向する平行な縁７，８を規定する。手術領域からの液体が縁５〜８の下に流れることを防止するため、又は手術領域の外側の領域からの細菌が手術領域へと侵入することを防止するため、縁５〜８は患者の皮膚に対して接着的に付着される。ドレープ製品１〜４はＭｏｅｌｎｌｙｃｋｅ  Ｈｅａｌｔｈ  Ｃａｒｅ  ＡＢからのＫｌｉｎｉｄｒａｐｅ（登録商標）と称される手術用ドレープ及び手術用タオルであることが有利であり、これは三つの層、つまり不織布の液体吸収上部層９、ポリエチレンの液密中央層１０及びセルロース詰め物又は不織布の下部吸収体層１１の三つの層の積層体からなる。上部層は手術領域から放出される血液及び他の液体を吸収する作用をし、手術スタッフからの患者の汚染及び手術スタッフ及び手術室の汚染を防止する作用をする。プラスチックフィルムは患者と手術領域との間の細菌を担持する液体の移送に対するバリアを提供し、セルロース詰めもの層は汗を吸収することによって及び患者の皮膚とプラスチックフィルムとの直接接触を防止することによって患者の快適性を増大させる。ドレープ製品１〜４はそれらの縁５〜８に沿って接着剤被覆１２も有する。
【手続補正２】
【補正対象書類名】明細書
【補正対象項目名】００１６
【補正方法】変更
【補正の内容】
【００１６】
さらに、接着剤によって被覆される皮膚の部分の角質層に対する損傷は、皮膚に取付けられていたドレープ製品の除去後、ＳＣＴ（分光色試験（Ｓｐｅｃｔｒｏｓｃｏｐｉｃ  Ｃｏｌｏｕｒ  Ｔｅｓｔ））で測定すると３０％未満、好ましくは２０％未満、より好ましくは１０％未満であるべきである。ＳＣＴ測定は、Ｐ．Ｊ．Ｄｙｋｅｓ，Ｒ．Ｈｅｇｇｉｅ，Ｓ．Ａ．Ｈｉｌｌ，“ｅｆｆｅｃｔｓ  ｏｆ  ａｄｈｅｓｉｖｅ  ｄｒｅｓｓｉｎｇｓ  ｏｎ  ｔｈｅ  ｓｔｒａｔｕｍ  ｃｏｒｎｅｕｍ  ｏｆ  ｔｈｅ  ｓｋｉｎ”，Ｊｏｕｒｎａｌ  ｏｆ  ｗｏｕｎｄ  ｃａｒｅ，Ｆｅｂｒｕａｒｙ，Ｖｏｌ  １０，Ｎｏ．２，２００１（この文献はさらなる詳細を知るために参照される）に詳細に記述されている方法で行われるものとする。ＳＣＴ測定は、健康な皮膚を有する様々な性別の少なくとも１０人の人で、以下の方法によって行われるものとする。まず、試験領域の中央の皮膚は、０．０３ｍｌの１％水性メチレンブルーで湿潤された１１ｍｍの濾紙円板を含む１２ｍｍのアルミニウムＦｉｎｎ室の適用によって着色される。Ｆｉｎｎ室は皮膚表面に６０分間適用されるものとする。これは角質層の表面層の均一な着色をもたらすのに十分である。次に、試験ストリップは試験される人の皮膚の着色領域に適用され、７２時間そこに適用される。７２時間後に試験ストリップを除去した後、角質層はＲ.Ｍａｒｋｓ，Ｒ.Ｐ.Ｒ  Ｄａｗｂｅｒ，“Ｓｋｉｎ  ｓｕｒｆａｃｅ  ｂｉｏｐｓｙ；ａｎ  ｉｍｐｒｏｖｅｄ  ｔｅｃｈｎｉｑｕｅ  ｆｏｒ  ｅｘａｍｉｎａｔｉｏｎ  ｏｆ  ｔｈｅ  ｈｏｒｎｙ  ｌａｙｅｒ”，Ｂｒ  Ｊ  Ｄｅｒｍａｔｏｌ  １９７１：８４：１１７−１２３（この文献はさらなる詳細を知るために参照される）に記述されている「皮膚表面生検手順」によって除去される。生検材料はその後、小片に切り分けられ、２ｍｌのジメチルスルホキシド（ＤＭＳＯ）を含むガラス管に入れられる。ガラス管は２時間にわたって１０〜１５分ごとに撹拌され、染料抽出が完全に行われることを確実にする。ジメチルスルホキシド抽出物は１００ｇで１０分間遠心分離されて角質層の断片をすべて除去される。次に１ｍｌのジメチルスルホキシドがプラスチックのキュベットに移され、光学濃度が測定される。光学濃度は分光光度計で測定するものとする。まず、ジメチルスルホキシドを含むブランクのキュベットが５５０〜８００ｎｍで走査される。その後、皮膚の着色領域からの抽出された皮膚表面生検材料が走査されて最大吸光度が決定される。すべての続く測定は最大吸光度についての波長で行われる。結果は光学濃度単位で表され、隣接する非損傷の角質層の参照サンプルと比較した角質層の損傷の百分率として表される。
【手続補正書】
【提出日】平成18年2月23日(2006.2.23)
【手続補正１】
【補正対象書類名】特許請求の範囲
【補正対象項目名】全文
【補正方法】変更
【補正の内容】
【特許請求の範囲】
【請求項１】
中底（２）及び甲革（４）の下縁を包み込むウェルト（３）に結合されるソール（１）を備えた履物において、
甲革（４）の内側表面には防水膜若しくは半透膜（６）が裏打ちされ、前記中底（２）に結合された防水テープは前記膜によって裏打ちされた前記甲革（４）の下方内縁に沿って接着されていることを特徴とする履物。
【請求項２】
請求項１に記載の履物において、
前記ウェルト（３）はプラスチック若しくはゴム材料で前記ソール（１）と一体的に形成されていることを特徴とする履物。
【請求項３】
請求項１又は２に記載の履物において、
前記膜（６）は半透膜であることを特徴とする履物。
【請求項４】
請求項３に記載の履物において、
前記膜（６）は非孔質重合材料のシートからなることを特徴とする履物。
【請求項５】
請求項１〜４の何れかに記載の履物において、
前記膜（６）は熱活性接着剤からなる接着剤パターンによって前記甲革（４）に結合されていることを特徴とする履物。
【請求項６】
請求項１〜５の何れかに記載の履物において、
前記防水テープ（７）は前記中底（２）に縫い付けられていることを特徴とする履物。
【請求項７】
請求項６に記載の履物において、
裏地（５）が、前記中底（２）に防水テープ（７）を結合させるための縫い目（９）と同じ縫い目で前記中底（２）に縫い付けられることを特徴とする履物。
【請求項８】
請求項１〜７の何れかに記載の履物において、
前記防水テープ（７）は15〜20ｍｍの幅を有し、前記甲革（４）に接着されている部分（８）は７〜10ｍｍの幅を有していることを特徴とする履物。
【請求項９】
請求項１〜８の何れかに記載の履物において、
前記防水テープ（７）は熱活性接着剤層によって前記甲革（４）に接着されていることを特徴とする履物。
【請求項１０】
履物を製造する方法において、
甲革（４）の内部に防水膜若しくは半透膜（６）を裏打ちする工程と、
前記膜（６）が裏打ちされた前記甲革（４）の下縁に防水テープ（７）を接着する工程と、
前記防水テープ（７）を中底（２）に結合する工程と、
前記甲革（４）に結合された中底（２）を型に挿入する工程であって、その型の中では、中底２とウェルト３の下であって甲革４の下縁の周り、及び甲革４の下縁と前記中底２の間の防水テープの部分の周りに、ソール１を形成する工程とからなることを特徴とする履物の製造方法。
【請求項１１】
請求項１０に記載の方法において、
裏地（５）が前記防水テープと共に前記中底（２）に縫い付けられることを特徴とする方法。
【手続補正書】
【提出日】平成17年9月13日(2005.9.13)
【手続補正１】
【補正対象書類名】特許請求の範囲
【補正対象項目名】請求項２５
【補正方法】変更
【補正の内容】
【請求項２５】
上記化合物はヘッジホッグ仲介情報伝達を１μＭ以下のＥＤ50で阻害する請求項２４の方法。
【手続補正２】
【補正対象書類名】特許請求の範囲
【補正対象項目名】請求項２６
【補正方法】変更
【補正の内容】
【請求項２６】
上記化合物はヘッジホッグ仲介情報伝達を１ｎＭ以下のＥＤ50で阻害する請求項２４の方法。
【手続補正３】
【補正対象書類名】明細書
【補正対象項目名】０１７１
【補正方法】変更
【補正の内容】
【０１７１】
更に、ある種のヘッジホッグアゴニストの可能な役割は、軸索ニューロンの樹状突起の発生及び維持におけるヘッジホッグ蛋白質の役割に由来する。従ってヘッジホッグアゴニストの可能な役割には、軸索投射（系）への誘導並びにその軸索プロセスへの神経支配細胞の分化及び／又は維持促進機能が含まれる。ヘッジホッグアゴニストを有する組成物は、数種のタイプの神経節のニューロン交感及び感覚ニューロン並びに運動ニューロンの維持及び再投射を指示するためにも使用できる。特に、これらの治療用組成物は、種々のニューロンを傷害−誘導された細胞死から助け、これらの損傷後のこれらニューロンの再投射を誘導するための治療に使用できる。これらの病気として、ＣＮＳ外傷梗塞形成、感染（水痘帯状疱疹を伴うウィルス性感染等）、新陳代謝病、栄養障害、毒剤（シスプラチン治療等の）が挙げられるがこれらに制限されるものではない。
適切な、本発明の方法は又、中枢及び末梢神経損傷の修復のための神経プロテーゼの生成に使用できる。特に、破壊され又は重傷の軸索が、プロテーゼ人工器官を使用して挿管されている場合、ヘッジホッグアゴニストを、樹状突起の成長及び再生速度を調製するためにプロテーゼ人工器官に加えることが出来る。神経誘導チャンネルの例は米国特許番号第５０９２８７１及び４９５５８９２号に記載されている。
【手続補正４】
【補正対象書類名】明細書
【補正対象項目名】０２５２
【補正方法】変更
【補正の内容】
【０２５２】
上記のように、例えば本発明のヘッジホッグアゴニストはアミノ又はアルキルアミノ等の塩基性基を含有してもよく、このように医薬的に適用可能な酸と医薬的に適用可能な塩を形成してもよい。この観点から「医薬的に適用可能な塩」は、本発明の化合物の、相対的に無毒性の無機酸及び有機酸付加塩をいう。これら塩は、本発明の化合物の最終的分離及び精製中ｉｎ  ｓｉｔｕで調製してもよく、本発明の精製化合物の遊離塩基形を適当な無機酸及び有機酸と別々に反応させ、及びこのように形成された塩を単離して調製してもよい。代表的な塩として、臭化水素塩、塩化水素塩、硫酸塩、亜硫酸塩、リン酸塩、硝酸塩、酢酸塩、吉草酸塩、オレイン酸塩、パルミチン酸塩、ステアリン酸塩、ラウリン酸塩、安息香酸塩、乳酸塩、ｐ−トルエンスルホン酸塩、クエン酸塩、マレイン酸塩、フマル酸塩、コハク酸塩、酒石酸塩、ナフチル酸塩、メタンスルホン酸塩、グルコヘプトン酸塩、ｌａｃｔｏｂｉｏｎａｔｅ、及びｌａｕｒｙｌｓｕｌｐｈｏｎａｔｅ等が挙げられる。（例えば、Ｂｅｒｇｅ  ｅｔ  ａｌ．（１９７７）「Ｐｈａｒｍａｃｅｕｔｉｃａｌ  Ｓａｌｔｓ」Ｊ．Ｐｈａｒｍ．Ｓｃｉ．６６：１−１９参照。）
【手続補正５】
【補正対象書類名】明細書
【補正対象項目名】０３００
【補正方法】変更
【補正の内容】
【０３００】
腎臓ブランチングアッセイ
Ｅ１３．５オールドのｐｔｃ−１（ｄ１１）ｌａｃＺ腎臓を採取し、テイルを使用したｌａｃＺ検出法によりトランスジェニック胚を同定した。外植体を可塑的グリッド（組織構造的に埋め込まれたｃｈａｍｂｅｒ）の頂上部に置かれた１μＭポリカーボネートフィルタ（Ｃｏｓｔａｒ）上で構成し、腎臓外植体培地（ＤＭＥＭベースの、マウス腎臓の培地用に最適化された添加剤）で満たした標準１２−ウェル組織培地プレート中に４８時間保持し、ｌａｃＺ固定液中で固定し、リンスして３７℃でｌａｃＺＯ／Ｎを着色した。
結果を図４５に示す。左側のコントロールパネルでは、内生的ｐａｔｃｈｅｄ発現を反映するパターンである、ＬａｃＺ発現が尿管上皮の最も近位の間葉中で観察された。５μＭのアゴニストＢでの治療により、ヘッジホッグ経路アップレギュレーションを表す、レポーター遺伝子発現及びトランスジーンの発現ドメインの拡大が非常に増加した。局所的に間葉へのシグナルが残っており、シグナルはより末端に位置した尿管及び管状上皮までは拡張せず、内生的状態でヘッジホッグシグナルに応答する間葉細胞タイプのみがアゴニストに応答し、通常この経路を活性化しない細胞タイプは、アゴニスト治療により影響されなかったことを示している。最も右のパネルは、５μｇ／ｍＬのＨｈ蛋白質での治療結果を示す。